【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
追加のリンク情報を提供するリンク情報信号と画像信号とを含む合成信号を提供する画像信号装置であって、目視されたシーンからの画像信号を提供するカメラを含む画像信号生成手段と、前記目視されたシーンまたはその隣接の環境に応答して前記リンク情報信号を生成するリンク信号生成手段と、前記画像信号と前記リンク情報信号とを合成して、前記合成信号を提供する信号合成手段と、を備え、前記リンク情報信号は、前記画像信号により表される画像の選択部分のみと関連づけられる、装置。
【請求項２】
前記リンク信号生成手段は、符号化された情報、またはビーコン、またはトランスポンダ、または前記シーンまたは前記隣接の環境内の直接信号入力手段に応答して、前記リンク情報信号を直接あるいは間接的に提供する、請求項１に記載の装置。
【請求項３】
前記リンク信号生成手段が、前記目視されたシーンまたはその隣接の環境における光学的特徴に応答して、前記リンク情報信号を生成する、請求項１に記載の装置。
【請求項４】
前記リンク信号生成手段が、前記画像信号を分析しそこから前記光学特徴を認識しかつこれに応答して前記リンク情報信号を生成する画像信号分析手段を含む、請求項３に記載の装置。
【請求項５】
前記信号合成手段が、前記リンク情報信号を、前記画像信号によって表される画像の選択部分のみと関連づけるように構成される、請求項１に記載の装置。
【請求項６】
前記選択部分が、前記光学的特徴を備えている、請求項５に記載の装置。
【請求項７】
前記画像信号に対するアイコン信号の追加を行うアイコン生成手段を備え、前記選択部分が、該アイコンを備えている、請求項５に記載の装置。
【請求項８】
前記選択部分が、予め決定されている、請求項５に記載の装置。
【請求項９】
前記画像信号を分析することによって、前記選択部分を決定する画像分析手段を含む、請求項５に記載の装置。
【請求項１０】
少なくとも２つの前記選択部分が、それぞれ関連するリンク情報を有することができるように構成されている、請求項５に記載の装置。
【請求項１１】
前記リンク情報信号が、所定の情報をさらに有するポインタの一部を提供し、前記装置が、かかる所定の情報を一時的または恒久的に記憶しかつ前記リンク情報と前記所定の情報とを合成して前記ポインタを提供する記憶手段をさらに含む、請求項１に記載の装置。
【請求項１２】
前記画像信号と合成するために、前記シーンの場所に関する情報から追加リンク情報を生成するためのリンク情報生成手段をさらに備えている、請求項１に記載の装置。
【請求項１３】
前記画像信号と合成するために、同一のカメラによって、または同一サイト上で動作する異なるカメラによって撮影された同一対象物の画像をリンクする補助リンク情報を生成するための補助リンク情報生成手段を備えている、請求項１に記載の装置。
【請求項１４】
前記リンク信号生成手段が前記カメラに内蔵されている、請求項１に記載の装置。
【請求項１５】
前記信号合成手段が前記カメラに内蔵されている、請求項１に記載の装置。
【請求項１６】
追加のリンク情報を提供するリンク情報信号と画像信号とを含む合成信号を提供する装置であって、目視されたシーンからの画像信号を提供するカメラを含む画像信号生成手段と、前記目視されたシーンまたはその隣接の環境における特徴に応答して前記リンク情報信号を生成するリンク信号生成手段と、前記画像信号と前記リンク情報信号とを合成して、前記合成信号を提供する信号合成手段と、を備え、前記画像信号生成手段および前記リンク信号生成手段は、異なる時間に互いに独立して動作することが可能であり、前記信号合成手段は、前記画像信号と前記リンク情報信号との合成を調整するように構成されている、装置。
【請求項１７】
前記リンク信号生成手段は、符号化された情報、またはビーコン、またはトランスポンダ、または前記シーンまたは前記隣接の環境内の直接信号入力手段に応答して、前記リンク情報信号を直接あるいは間接的に提供する、請求項１６に記載の装置。
【請求項１８】
前記リンク信号生成手段が、前記目視されたシーンまたはその隣接の環境における光学的特徴に応答して、前記リンク情報信号を生成する、請求項１６に記載の装置。
【請求項１９】
前記リンク信号生成手段が、前記画像信号を分析しそこから前記光学的特徴を認識しかつこれに応答して前記リンク情報信号を生成する画像信号分析手段を含む、請求項１８に記載の装置。
【請求項２０】
前記信号合成手段が、前記リンク情報信号を、前記画像信号によって表される画像の選択部分のみと関連づけるように構成されている、請求項１６に記載の装置。
【請求項２１】
前記選択部分が、前記光学的特徴を備えている、請求項２０に記載の装置。
【請求項２２】
前記画像信号に対するアイコン信号の追加を行うアイコン生成手段を備え、前記選択部分が、該アイコンを備えている、請求項２０に記載の装置。
【請求項２３】
前記選択部分が、予め決定されている、請求項２０に記載の装置。
【請求項２４】
前記画像信号を分析することによって、前記選択部分を決定する画像分析手段を含む、請求項２０に記載の装置。
【請求項２５】
少なくとも２つの前記選択部分が、それぞれ関連するリンク情報を有することができるように構成されている、請求項２０に記載の装置。
【請求項２６】
前記リンク情報信号が、所定の情報をさらに有するポインタの一部を提供し、前記装置が、かかる所定の情報を一時的または恒久的に記憶しかつ前記リンク情報と前記所定の情報とを合成して前記ポインタを提供する記憶手段をさらに含む、請求項１６に記載の装置。
【請求項２７】
前記画像信号と合成するために、前記シーンの場所に関する情報から追加リンク情報を生成するためのリンク情報生成手段をさらに備えている、請求項１６に記載の装置。
【請求項２８】
前記画像信号と合成するために、同一のカメラによって、または同一サイト上で動作する異なるカメラによって撮影された同一対象物の画像をリンクする補助リンク情報を生成するための補助リンク情報生成手段を備えている、請求項１６に記載の装置。
【請求項２９】
前記リンク信号生成手段が前記カメラに内蔵されている、請求項１６に記載の装置。
【請求項３０】
前記信号合成手段が前記カメラに内蔵されている、請求項１６に記載の装置。
【請求項３１】
追加のリンク情報を提供するリンク情報信号と画像信号とを含む合成信号を提供する装置であって、目視されたシーンからの画像信号を提供するカメラを含む画像信号生成手段と、前記目視されたシーンまたはその隣接の環境における光学的特徴に応答して前記リンク情報信号を生成するリンク信号生成手段と、前記画像信号と前記リンク情報信号とを合成して、前記合成信号を提供する信号合成手段と、を備えている、装置。
【請求項３２】
前記リンク信号生成手段が、前記画像信号を分析しそこから前記光学的特徴を認識しかつこれに応答して前記リンク情報信号を生成する画像信号分析手段を含む、請求項３１に記載の装置。
【請求項３３】
前記信号合成手段が、前記リンク情報信号を、前記画像信号によって表される画像の選択部分のみと関連づけるように構成されている、請求項３１に記載の装置。
【請求項３４】
前記選択部分が、前記光学的特徴を備えている、請求項３３に記載の装置。
【請求項３５】
前記画像信号に対するアイコン信号の追加を行うアイコン生成手段を備え、前記選択部分が、該アイコンを備えている、請求項３８に記載の装置。
【請求項３６】
前記選択部分が、予め決定されている、請求項３３に記載の装置。
【請求項３７】
前記画像信号を分析することによって、前記選択部分を決定する画像分析手段を含む、請求項３３に記載の装置。
【請求項３８】
少なくとも２つの前記選択部分が、それぞれ関連するリンク情報を有することができるように構成されている、請求項３３に記載の装置。
【請求項３９】
前記リンク情報信号が、所定の情報をさらに有するポインタの一部を提供し、前記装置が、かかる所定の情報を一時的または恒久的に記憶しかつ前記リンク情報と前記所定の情報とを合成して前記ポインタを提供する記憶手段をさらに含む、請求項３１に記載の装置。
【請求項４０】
前記画像信号と合成するために、前記シーンの場所に関する情報から追加リンク情報を生成するためのリンク情報生成手段をさらに備えている、請求項３１に記載の装置。
【請求項４１】
前記画像信号と合成するために、同一のカメラによって、または同一サイト上で動作する異なるカメラによって撮影された同一対象物の画像をリンクする補助リンク情報を生成するための補助リンク情報生成手段を備えている、請求項３１に記載の装置。
【請求項４２】
前記リンク信号生成手段が前記カメラに内蔵されている、請求項３１に記載の装置。
【請求項４３】
前記信号合成手段が前記カメラに内蔵されている、請求項３１に記載の装置。
【請求項４４】
複数個の前記カメラを含み、該各カメラからの前記合成信号を共通の場所に記録するメモリを含む、請求項１に記載の装置を含む設備。
【請求項４５】
前記メモリが、少なくとも１つの前記リンク情報信号にしたがって前記合成信号をグループ化するように構成されている、請求項４４に記載の設備。
【請求項４６】
複数個の前記カメラを含み、該各カメラからの前記合成信号を共通の場所に記録するメモリを含む、請求項１６に記載の装置を含む設備。
【請求項４７】
前記メモリが、少なくとも１つの前記リンク情報信号にしたがって前記合成信号をグループ化するように構成されている、請求項４５に記載の設備。
【請求項４８】
複数個の前記カメラを含み、該各カメラからの前記合成信号を共通の場所に記録するメモリを含む、請求項３６に記載の装置を含む設備。
【請求項４９】
前記メモリが、少なくとも１つの前記リンク情報信号にしたがって前記合成信号をグループ化するように構成されている、請求項４８に記載の設備。
【請求項５０】
合成信号を生成する方法であって、シーンに対応する画像信号を生成するステップと、前記シーンまたはその隣接の環境に応答して追加情報への誘導を提供するリンク情報信号を生成するステップと、前記画像信号と前記リンク情報信号とを合成して前記合成信号を提供するステップと、を含み、前記リンク情報信号は、前記画像信号によって表される画像の選択部分のみと関連づけられる、方法。
【請求項５１】
前記リンク情報信号が所定の情報をさらに有するポインタの一部を提供しており、前記所定の情報を一時的または恒久的に記憶しかつ前記リンク情報と前記所定の情報とを合成して前記ポインタを提供するステップをさらに含む、請求項５０に記載の方法。
【請求項５２】
前記所定の情報が、複数個の前記合成信号が記録される前にいったん記録される、請求項５１に記載の方法。
【請求項５３】
前記リンク情報が電子メールアドレスまたはこれに対するポインタを備えており、前記電子メールアドレスにメッセージを送信するステップを含む、請求項５０に記載の方法。
【請求項５４】
前記画像信号を分析して、前記リンク情報信号を決定するステップを含む、請求項５０に記載の方法。
【請求項５５】
前記リンク情報信号を使用して、リモートまたはローカルデータベースに照会するステップを含む、請求項５０に記載の方法。
【請求項５６】
合成信号を生成する方法であって、画像信号生成手段により、シーンに対応する画像信号を生成するステップと、リンク信号生成手段により、前記シーンまたはその隣接の環境に応答して追加情報への誘導を提供するリンク情報信号を生成するステップと、合成手段により、前記画像信号と前記リンク情報信号とを合成して前記合成信号を提供するステップと、を含み、前記画像信号生成手段および前記リンク信号生成手段は、異なる時間において互いに独立して動作可能であり、かつ前記合成手段は、前記画像信号と前記リンク情報信号との合成を調整するように構成されている、方法。
【請求項５７】
前記リンク情報信号が所定の情報をさらに有するポインタの一部を提供しており、前記所定の情報を一時的または恒久的に記憶しかつ前記リンク情報と前記所定の情報とを合成して前記ポインタを提供するステップをさらに含む、請求項５６に記載の方法。
【請求項５８】
前記所定の情報が、複数個の前記合成信号が記録される前にいったん記録される、請求項５７に記載の方法。
【請求項５９】
前記リンク情報が電子メールアドレスまたはこれに対するポインタを備えており、前記電子メールアドレスにメッセージを送信するステップを含む、請求項５６に記載の方法。
【請求項６０】
前記画像信号を分析して、前記リンク情報信号を決定するステップを含む、請求項５６に記載の方法。
【請求項６１】
前記リンク情報信号を使用して、リモートまたはローカルデータベースに照会するステップを含む、請求項５６に記載の方法。
【請求項６２】
合成信号を生成する方法であって、シーンに対応する画像信号を生成するステップと、前記シーンまたはその隣接の環境における光学的特徴に応答して追加情報への誘導を提供するリンク情報信号を生成するステップと、前記画像信号と前記リンク情報信号とを合成して前記合成信号を提供するステップと、を含む方法。
【請求項６３】
前記リンク情報信号が所定の情報をさらに有するポインタの一部を提供しており、前記所定の情報を一時的または恒久的に記憶しかつ前記リンク情報と前記所定の情報とを合成して前記ポインタを提供するステップをさらに含む、請求項６２に記載の方法。
【請求項６４】
前記所定の情報が、複数個の前記合成信号が記録される前にいったん記録される、請求項６３に記載の方法。
【請求項６５】
前記画像信号を分析して、前記リンク情報信号を決定するステップを含む、請求項６２に記載の方法。
【請求項６６】
前記リンク情報信号を使用して、リモートまたはローカルデータベースに照会するステップを含む、請求項６２に記載の方法。
【請求項６７】
前記リンク情報が電子メールアドレスまたはこれに対するポインタを備えており、前記電子メールアドレスにメッセージを送信するステップを含む、請求項６２に記載の方法。